(57)【要約】【課題】  木造建築物における耐力壁としての強度を十分に備えると共に、生産効率が高く、施工性に優れた低コストの壁パネルを提供することを目的とする。【解決手段】  木造建築物における耐力壁として機能する壁パネル１であって、壁面Ｗにおける横方向に、上下に所定間隔を空けて並列状態に配設された複数の横方向部材２と、木質繊維方向を壁面Ｗにおける縦方向に一致させた状態で、複数の横方向部材２の側面２ａを連結して壁面Ｗを形成する一又は複数の板部材３とを含んで構成されることを特徴とする。【選択図】  図１
2017218793.tif 000002
【特許請求の範囲】
【請求項１】
木造建築物における耐力壁として機能する壁パネルであって、
壁面における横方向に、上下に所定間隔を空けて並列状態に配設された複数の横方向部材と、
木質繊維方向を前記壁面における縦方向に一致させた状態で、前記複数の横方向部材の側面を連結して前記壁面を形成する一又は複数の板部材と
を含んで構成されることを特徴とする壁パネル。
【請求項２】
前記複数の横方向部材の側面に、その長手方向に沿って一又は複数の縦溝を備えることを特徴とする請求項１に記載の壁パネル。
【請求項３】
前記一又は複数の板部材の裏面に、その木質繊維方向に沿って一又は複数の縦溝を備えることを特徴とする請求項１又は請求項２に記載の壁パネル。
【発明の詳細な説明】
【技術分野】
【０００１】
本発明は、木造建築物における耐力壁として好適な壁パネルに関する。
【背景技術】
【０００２】
従来、木造建築物における耐力壁として機能する壁パネル等が種々、開示されている（例えば、特許文献１及び特許文献２参照）。特許文献１には、木造家屋の軸部材間に直接または間接的に装着され、耐力壁となる壁パネルにおいて、方形に形成された枠部材と、この枠部材の中空部を覆って室外側または枠部材内側に固定された断熱材と、この枠部材を木造家屋の軸部材間に直接または間接的に装着し、その室内側側面全周に室内用の壁板材を固定して耐力壁を構成する木造家屋の壁パネルが開示されている。生産・施工が容易であり、気密性、断熱性が高く、コストが安価な木造家屋の壁パネルを提供することを目的としている。
【０００３】
また、特許文献２に開示された建物の壁を構成する木質の壁構成部材は、壁を構成する際の上下方向にその木質繊維方向が一致するように所定間隔で整列された複数の縦部材と、前記複数の縦部材の側面を相互に連結する連結部材を備え、上下方向に貫通孔を有すると共に上下方向に隣設する他の壁構成部材との間に面方向のズレを防止するズレ防止部が形成されていることを特徴とする。当該構成によると、縦部材の木質繊維方向が壁を構成する際の上下方向、すなわち重力荷重負担方向に配置されるため、強度的に異方性を有する木質材であるにもかかわらず、優れた強度を発揮させることができる旨、記載されている。
【先行技術文献】
【特許文献】
【０００４】
【特許文献１】特開平１０−１５２９１９号公報
【特許文献２】特開平１１−８１５２４号公報
【発明の概要】
【発明が解決しようとする課題】
【０００５】
特許文献１に開示された壁パネルや特許文献２に開示された壁構成部材によると、耐力壁としての強度は確保できるものと思料する。しかしながら、これらの壁パネルや壁構成部材は構成が何れも複雑で、現場施工はもちろん、工場生産を行う場合でも手間が掛かり、生産効率の向上を図ることが困難である。
【０００６】
また、特許文献１等に開示された壁パネル等では、予め壁面のサイズに合わせて製作しなければならず、施工現場において適宜、壁面のサイズに合わせて調整しつつ施工することができない。
【０００７】
更に、木材を使用して構成された壁面では、経年変化によって壁面の表面に反りやひび割れが生じる場合があり、表面に貼った壁紙に悪影響を及ぼす場合がある。
【０００８】
そこで本願発明者は、上記の問題点に鑑み、木造建築物における耐力壁としての強度を十分に備えると共に、生産効率が高く、施工性に優れた低コストの壁パネルを提供するべく鋭意検討を重ねた結果、本発明に至ったのである。
【課題を解決するための手段】
【０００９】
即ち、本発明は、木造建築物における耐力壁として機能する壁パネルであって、壁面における横方向に、上下に所定間隔を空けて並列状態に配設された複数の横方向部材と、木質繊維方向を前記壁面における縦方向に一致させた状態で、前記複数の横方向部材の側面を連結して前記壁面を形成する一又は複数の板部材とを含んで構成されることを特徴とする。
【００１０】
また、前記複数の横方向部材の側面に、その長手方向に沿って一又は複数の縦溝を備えることを特徴とする。
【００１１】
更に、前記一又は複数の板部材の裏面に、その木質繊維方向に沿って一又は複数の縦溝を備えることを特徴とする
【発明の効果】
【００１２】
本発明の壁パネルによると、木造建築物における耐力壁として好適な壁パネルを、低コストで提供することができる。特に、本発明の壁パネルは構成が非常に簡単であるため生産効率が高く、現場施工も可能ではあるが、工場による大量生産も可能である。
【００１３】
また、本発明の壁パネルによると、予め工場等で製作された壁パネルを施工現場において適宜、壁面のサイズに合わせて調整しつつ施工することができる。
【００１４】
また、本発明の壁パネルに係る複数の横方向部材や複数の板部材に間伐材や端材などを使用することができ、低コスト化を図ることができる。
【００１５】
更に、本発明の壁パネルに係る複数の横方向部材の上下には所定の空間が形成されているため、電線や電話線、光ファイバーなどの配線類を収めることができる。
【００１６】
また、本発明の壁パネルに係る複数の横方向部材の側面に、その長手方向に沿って一又は複数の縦溝を備えることによって、経年変化により壁面の表面に反りやひび割れが発生することを防止することができる。
【００１７】
更にまた、本発明の壁パネルに係る一又は複数の板部材の裏面に、その木質繊維方向に沿って一又は複数の縦溝を備えることによって、経年変化により壁面の表面に反りやひび割れが発生することを防止することができる。
【図面の簡単な説明】
【００１８】
【図１】本発明の壁パネルの一実施形態を示す斜視図である。
【図２】本発明の壁パネルの取付状態を示す正面図である。
【図３】本発明の壁パネルの他の実施形態を示す正面図である。
【図４】本発明の壁パネルの他の実施形態を示す正面図である。
【発明を実施するための形態】
【００１９】
以下、本発明の壁パネルの一実施形態について、図面に基づいて説明する。図１は、本発明の壁パネルの一実施形態を示す斜視図であり、図２は、本実施形態に係る壁パネル１を耐力壁として取り付けた状態を示す正面図である。これら図１及び図２に示すように、本実施形態の壁パネル１は、木造建築物における耐力壁として機能する壁パネルである。具体的には、壁面Ｗにおける横方向（図１中ｗ方向）に、上下に所定間隔（＝空間Ｓ）を空けて並列状態に配設された複数の横方向部材２と、木質繊維方向を壁面Ｗにおける縦方向（図１中ｈ方向）に一致させた状態で、複数の横方向部材２の側面２ａを連結して壁面Ｗを形成する複数の板部材３とを含んで構成されている。
【００２０】
本実施形態に係る横方向部材２は、間伐材などを使用した厚板状の部材であって、木質繊維方向を壁面Ｗにおける横方向に一致させた状態で配設されている。横方向部材２の断面寸法は特に限定されず、横方向部材２の厚み（＝壁面Ｗにおける奥行き方向（ｄ方向）の寸法）は、壁面Ｗの壁厚に応じて適宜選択される。また、横方向部材２の幅（＝壁面Ｗにおける縦方向（ｈ方向）の寸法）も、一の横方向部材２の幅が狭い場合には、この幅が狭い横方向部材２同士を接着して一体化した幅広の横方向部材２ｂとしてもよい。更に、一の横方向部材２がある程度、幅広の場合には、幅狭の横方向部材２ｃを接着して一体化してもよい。
【００２１】
複数の横方向部材２は、各横方向部材２の上下に空間Ｓを備えた状態で並列に配設されている。横方向部材２の上下に空間Ｓを形成することによって、耐力壁として十分な強度を備えつつ、壁パネル１の軽量化を図ることができる。また、この空間Ｓが形成されることによって、電線や電話線、光ファイバーなどの配線類を収めることができるスペースを容易に確保することができる。なお、空間Ｓの幅（＝壁面Ｗの縦方向（ｈ方向）の寸法）は特に限定されず、壁パネル１のサイズに合わせて適宜、選択される。
【００２２】
そして、これらの横方向部材２に係る側面２ａに、その長手方向（＝壁面Ｗの幅方向（ｗ方向））に沿って一又は複数の縦溝４が形成されている。この縦溝４を形成することによって、横方向部材２に反りやひび割れが発生することを防止できる。なお、この縦溝４を形成する位置や本数は特に限定されず、横方向部材２の幅に応じて、横方向部材２の両側面２ａにそれぞれ１本ずつ、或いは２本ずつ、また一の側面２ａに１本と他の側面２ａに２本、といった態様で縦溝４を形成する位置も含めて適宜、選択される。
【００２３】
本実施形態に係る板部材３は、間伐材や端材などを使用した薄板状の部材であって、木質繊維方向を壁面Ｗにおける縦方向（図１中ｈ方向）に一致させた状態で配設されている。本実施形態の壁パネル１では、壁面Ｗが複数の板部材３を並列に配設することによって形成されているが、一の幅広の板部材３によって壁面Ｗが形成されてもよい。板部材３の寸法、特に幅（＝壁面Ｗの横方向（ｗ方向）の寸法）は特に限定されず、壁面Ｗの壁幅に応じて適宜、選択される。また、複数の板部材３を並列に配設する場合において、各板部材３の幅が全て同じ寸法である必要はなく、各板部材３の幅がバラバラであってもよい。これによって端材の有効利用が促進され、壁面パネル１の更なる低コスト化が図られる。
【００２４】
そして、これらの板部材３に係る裏面３ａにも、その木質繊維方向（＝壁面Ｗの縦方向（ｈ方向））に沿って少なくとも一の縦溝５が形成されている。この縦溝５を形成することによって、板部材３の表面に反りやひび割れが発生することを防止でき、経年変化により壁面Ｗの表面に反りやひび割れが発生することを防止することができる。なお、この縦溝５を形成する位置や本数は特に限定されず、板部材３の幅に応じて、１本乃至複数本の縦溝５が形成されることとなる。
【００２５】
図２に示すように、以上の構成からなる本実施形態の壁パネル１を木造建築物における耐力壁として使用することによって、耐震性に優れた木造建築物を低コストで提供することができる。即ち、図２に示すように、木造建築物における基礎１０上の土台１１と、土台１０上に立設された柱１２、１２と、これら柱１２、１２に掛け渡された梁１３とで囲まれた枠組み内に本実施形態の壁パネル１を配設することによって、壁パネル１が耐力壁として機能し、耐震性に優れた木造建築物を低コストで提供することができる。なお、壁パネル１の枠組み内への取り付け方法は特に限定されず公知のあらゆる取り付け方法が適用できるが、例えば図２に示すように、土台１１、柱１２及び梁１３と壁パネル１とを接合金物１４によって容易に、且つ強度を確保しつつ取り付けることができる。
【００２６】
以上の通り、本発明の実施形態に係る壁パネル１によると、木造建築物における耐力壁として好適な壁パネル１を、低コストで提供することができる。特に、本実施形態の壁パネル１は構成が非常に簡単であるため生産効率が高く、現場施工も可能ではあるが、工場による大量生産も可能である。
【００２７】
また、本実施形態の壁パネル１に係る複数の横方向部材２や複数の板部材３に間伐材や端材などを使用することができ、低コスト化を図ることができる。
【００２８】
また、本実施形態の壁パネル１に係る複数の横方向部材２の上下には空間Ｓが形成されることによって、耐力壁として十分な強度を備えつつ、壁パネル１の軽量化を図ることができる。更に、この空間Ｓが形成されることによって、電線や電話線、光ファイバーなどの配線類を収めることができるスペースを容易に確保することができる。
【００２９】
また、本実施形態の壁パネル１に係る複数の横方向部材２の側面２ａに、その長手方向に沿って一又は複数の縦溝４を形成することによって、経年変化により壁面Ｗの表面に反りやひび割れが発生することを防止することができる。
【００３０】
更に、本実施形態の壁パネル１に係る複数の板部材３の裏面３ａに、その木質繊維方向に沿って少なくとも一の縦溝５を形成することによって、経年変化により壁面Ｗの表面に反りやひび割れが発生することを防止することができる。
【００３１】
以上、本発明の一実施形態に係る壁パネル１について詳述したが、本発明の壁パネルは上記の実施形態に限定されるものではない。例えば、図３に示す壁パネル１ａは、その幅方向中央付近で二分割されている。具体的には、壁パネル１ａを構成する複数の横方向部材２が縦方向に分割され、一方の壁パネル構成部２１に係る各横方向部材２の接合端部が凸状に形成され、他方の壁パネル構成部２２に係る複数の横方向部材２の接合端部が凹状に形成されている。それぞれの接合端部が露出するように、各横方向部材２の側面２ａには板部材３が取り付けられていない状態となっている。
【００３２】
木造建築物における枠組み内に本実施形態に係る壁パネル１ａを取り付ける場合は、一方の壁パネル構成部２１に係る横方向部材２の凸状に形成された接合端部と、他方の壁パネル構成部２２に係る横方向部材２の凹状に形成された接合端部とを突き合わせた状態で枠組み内にはめ込む。この接合端部同士を突き合わせた状態の壁パネル１ａの幅は、枠組みにおける柱１２、１２間の幅より若干、狭めに製作されている。そして、壁パネル１ａに係る他方の壁パネル構成部２２を柱１２と接合するように移動させることによって、接合端部同士の間に若干の隙間が形成されることとなる。この状態で、露出した接合端部同士を覆って板部材３を取り付けることによって、耐力壁として機能する壁パネル１ａが枠組み内に取り付けられる。つまり、実際の枠組みの寸法が、予め工場等において製作した壁パネル１ａの幅より若干広い場合でも、施工現場において幅調整をした上で壁面Ｗを形成することができる。なお、接合端部同士は、壁パネル１ａの幅を調整後、板部材３を取り付ける前に別体の金物等で接合しておくことが、施工性及び強度確保の点でより好ましい。
【００３３】
また、本発明の他の実施形態として、図４に示す壁パネル１ｂのように、壁パネル１ｂを構成する複数の横方向部材２の一方の端部を露出させた状態で予め工場等において製作しておく。施工現場において枠組み内に壁パネル１ｂを取り付ける際、枠組みにおける柱１２、１２間の幅に合わせて各横方向部材２の端部を切断する。そして、残った横方向部材２の露出部分を覆って板部材３を取り付けることによって、耐力壁として機能する壁パネル１ｂが枠組み内に取り付けられる。本実施形態によれば、実際の枠組みの寸法が、予め工場等において製作した壁パネル１ｂの幅より若干狭い場合でも、施工現場において幅調整をした上で壁面Ｗを形成することができる。
【００３４】
以上、本発明の壁パネルの実施形態について詳述したが、本発明の技術的思想を実質的に限定するものと解してはならない。本発明はその要旨を逸脱しない範囲で、当業者の創意と工夫により、適宜に改良、変更又は追加をしながら実施できる。
【符号の説明】
【００３５】
１、１ａ、１ｂ：壁パネル
２：横方向部材
２ａ：横方向部材の壁面
３：板部材
３ａ：板部材の裏面
４、５：縦溝
２１：一方の壁パネル構成部
２２：他方の壁パネル構成部
Ｓ：空間
Ｗ：壁面
【図１】
2017218793.tif 000003
【図２】
2017218793.tif 000004
【図３】
2017218793.tif 000005
【図４】
2017218793.tif 000006